(57)【要約】      （修正有）【課題】簡易な構成によって、部材加工の負担を低減でき、かつ、隙間による高周波信号の漏洩を低減できるチョーク構造を有する、同軸導波管変換器を提供する。【解決手段】外壁部２００ａには、貫通孔２０１、第２の同軸線路２９０、第１の凹部２１１及び第２の凹部２１２が形成されている。第２の同軸線路は、中心導体１３０と外導体２９１とを有する。第１の凹部は、底部１００ｂとの間に隙間を保って窪み、貫通孔の底部の側の端部の外周２０１ｂを起点として中心導体から離れる方向に広がる。第２の凹部は、第１の同軸線路１９０から第２の同軸線路の方向へ第１の凹部よりも深い位置まで窪み、第１の凹部の外周２１１ａを起点として中心導体から離れる方向に広がる。第２の凹部は、第１の凹部と共にチョーク構造２１０を構成する。【選択図】図４
2020036175.tif 000002
【特許請求の範囲】
【請求項１】
外郭の一部をなす底部に第１の同軸線路が形成された筐体と、
前記底部に接触する外壁部を有する導波管と
を備え、
前記外壁部には、
前記底部から前記外壁部の方向に貫通する貫通孔と、
前記第１の同軸線路と対向するように配置された同軸線路であって、前記貫通孔を貫通している棒状の導体である中心導体と前記貫通孔の側面をなす前記外壁部の一部である外導体とを有する同軸線路である第２の同軸線路と、
前記底部との間に隙間を保って窪み、前記貫通孔の前記底部の側の端部の外周を起点として前記中心導体から離れる方向に広がる周形状の第１の凹部と、
前記第１の同軸線路から前記第２の同軸線路の方向へ前記第１の凹部よりも深い位置まで窪み、前記第１の凹部の外周を起点として前記中心導体から離れる方向に広がり、前記第１の凹部と共にチョーク構造を構成する周形状の第２の凹部と、
が形成されている同軸導波管変換器。
【請求項２】
前記中心導体は、
前記第１の同軸線路から前記第２の同軸線路の方向に太さが変化する請求項１に記載の同軸導波管変換器。
【請求項３】
前記第２の凹部は、
前記第１の凹部の外周に接続している周形状の内周面と、前記内周面よりも前記中心導体から離れた位置で前記内周面に対向する周形状の外周面とを有し、
前記内周面と前記外周面との少なくともいずれかは、
前記第１の凹部の外周に沿って、凹凸に変化する請求項１または請求項２に記載の同軸導波管変換器。
【請求項４】
前記第２の凹部は、
前記第１の凹部の外周に沿って、深さが変化する請求項１から請求項３のいずれか一項に記載の同軸導波管変換器。
【請求項５】
前記同軸導波管変換器は、さらに、
前記底部と前記外壁部との間に配置されると共に前記底部と前記外壁部との間に配置された状態で、前記貫通孔を露出させている導体膜を有する請求項１から請求項４のいずれか一項に記載の同軸導波管変換器。
【請求項６】
前記導体膜は、
前記第１の凹部と前記第２の凹部とを露出させている請求項５に記載の同軸導波管変換器。
【発明の詳細な説明】
【技術分野】
【０００１】
この発明は、主としてマイクロ波帯及びミリ波帯の高周波信号を伝送する同軸導波管変換器に関する。
【背景技術】
【０００２】
一般に、同軸導波管変換器は、同軸線路と導波管という異なる伝搬モードを有する線路間で高周波信号を伝送するために用いられる。
【０００３】
例えば特許文献１には、マイクロストリップ線路を同軸線路に変換し、同軸線路を導波管へ変換する変換器が開示されている。伝搬モードの異なる線路間の接続構造で構造的分界点に隙間が生じると、構造的な不連続に伴う高周波信号の漏洩により、高周波信号の伝送特性が劣化する。特許文献１の変換器では、マイクロストリップ線路と同軸線路との間にチョーク構造を設けることにより、使用する動作周波数において良好な伝送特性を得ている。
【先行技術文献】
【特許文献】
【０００４】
【特許文献１】特開平１１−７４７０８号公報
【発明の概要】
【発明が解決しようとする課題】
【０００５】
特許文献１に示す構造の変換器では、マイクロストリップ線路と同軸線路との間に設けたチョーク構造の凹部が複数部材で構成される。このため、部材形状が複雑となり、高い加工精度が要求されるという課題がある。また、当該チョーク構造の凹部を構成する部材間に隙間が生じた場合、高周波信号の漏洩が生じるため、良好な伝送特性を得ることが困難となるという課題がある。
【０００６】
この発明は、簡易な構成によって、部材加工の負担を低減でき、かつ、隙間による高周波信号の漏洩を低減できるチョーク構造を有する、同軸導波管変換器を提供することを目的とする。
【課題を解決するための手段】
【０００７】
この発明の同軸導波管変換器は、
外郭の一部をなす底部に第１の同軸線路が形成された筐体と、
前記底部に接触する外壁部を有する導波管と
を備え、
前記外壁部には、
前記底部から前記外壁部の方向に貫通する貫通孔と、
前記第１の同軸線路と対向するように配置された同軸線路であって、前記貫通孔を貫通している棒状の導体である中心導体と前記貫通孔の側面をなす前記外壁部の一部である外導体とを有する同軸線路である第２の同軸線路と、
前記底部との間に隙間を保って窪み、前記貫通孔の前記底部の側の端部の外周を起点として前記中心導体から離れる方向に広がる周形状の第１の凹部と、
前記第１の同軸線路から前記第２の同軸線路の方向へ前記第１の凹部よりも深い位置まで窪み、前記第１の凹部の外周を起点として前記中心導体から離れる方向に広がり、前記第１の凹部と共にチョーク構造を構成する周形状の第２の凹部と、
が形成されている。
【発明の効果】
【０００８】
この発明の同軸導波管変換器は、導波管の外壁部に、第１の凹部と第２の凹部とを有するチョーク構造が形成されている。同軸導波管変換器のチョーク構造によって、簡易な構成によって部材加工の負担を低減でき、隙間による高周波信号の漏洩を低減できるチョーク構造を有する同軸導波管変換器を提供できる。
【図面の簡単な説明】
【０００９】
【図１】実施の形態１の図で、同軸導波管変換器の斜視図。
【図２】実施の形態１の図で、同軸導波管変換器の平面図。
【図３】実施の形態１の図で、同軸導波管変換器のＷ−Ｗ断面図。
【図４】実施の形態１の図で、図３の部分拡大図。
【図５】実施の形態１の図で、同軸導波管変換器の内部を示す斜視図。
【図６】実施の形態１の図で、図３のＡ−Ａ断面図。
【図７】実施の形態１の図で、図３のＢ−Ｂ断面図。
【図８】実施の形態１の図で、比較例の同軸導波管変換器の断面図。
【図９】実施の形態１の図で、変形例１のＷ−Ｗ断面図。
【図１０】実施の形態１の図で、変形例２のＡ−Ａ断面図。
【図１１】実施の形態１の図で、変形例２の別のＡ−Ａ断面図。
【図１２】実施の形態１の図で、変形例３のＡ−Ａ断面図。
【図１３】実施の形態１の図で、変形例３のＢ−Ｂ断面図。
【図１４】実施の形態１の図で、変形例４のＷ−Ｗ断面図。
【図１５】実施の形態１の図で、変形例４の別のＷ−Ｗ断面図。
【発明を実施するための形態】
【００１０】
以下、この発明による同軸導波管変換器を実施の形態に従って図面を用いて説明する。なお、以下の実施の形態において、同一もしくは相当部分は同一符号で示し、また重複する説明は省略する。
【００１１】
実施の形態１．
＊＊＊構成の説明＊＊＊
図１から図１５を参照して実施の形態１の同軸導波管変換器１０００を説明する。
図１は、同軸導波管変換器１０００の斜視図である。同軸導波管変換器１０００は、筐体１００と導波管２００とを備えている。
図２は、同軸導波管変換器１０００の平面図である。
図３は、同軸導波管変換器１０００の図２におけるＷ−Ｗ断面図である。
図４は、図３の部分拡大図である。
図５は、断面によって同軸導波管変換器１０００の内部を示す斜視図である。
図６は、図３におけるＡ−Ａ断面図である。
図７は、図３におけるＢ−Ｂ断面図である。Ａ−Ａ断面図とＢ−Ｂ断面図とではＺ軸方向に形状変化はないので、Ａ−Ａ断面図とＢ−Ｂ断面図の形状は同じである。
図８は、同軸導波管変換器１０００の比較例の同軸導波管変換器の断面図である。図８はＡ−Ａ断面図に相当する。比較例の同軸導波管変換器は、同軸導波管変換器１０００に対して、さらに、基板導体１５０を有する。
【００１２】
実施の形態１では、第１の同軸線路１９０と、第２の同軸線路２９０との、形状の異なる２種類の同軸線路を用いる同軸導波管変換器１０００を説明する。同軸導波管変換器１０００は、筐体１００と、導波管２００とを備えている。
【００１３】
＜筐体１００＞
図１に示すように筐体１００は直方体の箱形状である。筐体１００は導体である。図１及び図３に示すように、筐体１００は、箱形状の上面を構成する上面部１００ａ、箱形状の底面を構成する底部１００ｂ及び箱形状の側面を構成する４つの側面部１００ｃを有する。上面部１００ａ、底部１００ｂ及び４つの側面部１００ｃは筐体１００の外郭を構成する。
【００１４】
＜導波管２００＞
図１に示すように導波管２００は直方体の箱形状である。導波管２００は導体である。図１及び図３に示すように、導波管２００は、箱形状の上面を構成する上面部である外壁部２００ａ箱形状の底面を構成する底部２００ｂ及び箱形状の側面を構成する４つの側面部２００ｃを有する。外壁部２００ａ、底部２００ｂ及び４つの側面部２００ｃは導波管２００の外郭を構成する。
【００１５】
図３に示すように、誘電体基板１１０には信号端子１２０が配置されている。誘電体基板１１０は、信号端子１２０が配置された配置面１１０ａの裏面１１０ｂが、筐体１００の底部１００ｂの内面１０２に接するように内面１０２に配置されることで、筐体１００の内部に収容されている。
【００１６】
導波管２００は、筐体１００の底部１００ｂを誘電体基板１１０と挟み、誘電体基板１１０と対向するように配置されている。
【００１７】
筐体１００の導波管２００と対向する底部１００ｂには貫通孔１０１が形成されている。貫通孔１０１には、誘電性支持体１４０が配置されている。中心導体１３０が、信号端子１２０、誘電体基板１１０及び誘電性支持体１４０を貫通した状態で配置されている。筐体１００には、外郭の一部をなす底部１００ｂに第１の同軸線路１９０が形成されている。第１の同軸線路１９０は、中心導体１３０、貫通孔１０１の縁部から成る外導体１９１及び誘電性支持体１４０から構成される。
【００１８】
図３に示すように、外壁部２００ａは底部１００ｂに接触している。導波管２００の外壁部２００ａには、貫通孔２０１と、第２の同軸線路２９０と、第１の凹部２１１と、第２の凹部２１２とが形成されている。貫通孔２０１は、底部１００ｂから外壁部２００ａの方向に貫通する。第２の同軸線路２９０は、第１の同軸線路１９０と対向するように配置された同軸線路である。第２の同軸線路２９０は、貫通孔２０１を貫通している棒状の導体である中心導体１３０と、貫通孔２０１の側面をなす外壁部２００ａの一部である外導体２９１とを有する同軸線路である。貫通孔２０１には誘電性支持体を配置してもよい。
【００１９】
図４に示すように、第１の凹部２１１は、底部１００ｂとの間に隙間を保って窪み、貫通孔２０１の底部１００ｂの側の端部の外周２０１ｂを起点として中心導体１３０から離れる方向に広がる。第１の凹部２１１は周形状である。図４に示すように、第１の凹部２１１は、断面が幅Ｂ１及び高さＨ１のリング形状である。
【００２０】
第２の凹部２１２は、第１の同軸線路１９０から第２の同軸線路２９０の方向へ第１の凹部２１１よりも深い位置まで窪んでいる。第２の凹部２１２は、第１の凹部２１１の外周２１１ａを起点として中心導体１３０から離れる方向に広がり、第１の凹部２１１と共にチョーク構造２１０を構成する。第２の凹部２１２は周形状である。図４に示すように、第２の凹部２１２は、断面が、幅Ｂ２及び高さＨ２のリング形状である。第２の凹部２１２は、第１の凹部２１１の外周２１１ａに接続している周形状の内周面２１２ａと、内周面２１２ａよりも中心導体１３０から離れた位置で内周面２１２ａに対向する周形状の外周面２１２ｂとを有する。また、第２の凹部２１２は、内周面２１２ａと外周面２１２ｂとを接続する底面２１２ｃを有する。
【００２１】
信号端子１２０と導波管２００とは、中心導体１３０、第１の同軸線路１９０、第２の同軸線路２９０及びプローブ２３０によって接続されている。
【００２２】
＜チョーク構造２１０＞
チョーク構造２１０は、チョーク路である第１の凹部２１１と、第２の凹部２１２とを有する。図４にはＸＺ座標を示している。中心導体１３０の長手方向がＺ軸方向である。水平方向はＸ軸方向である。図４に示すように、第１の凹部２１１は、底部１００ｂとの間に隙間である高さＨ１を保って、貫通孔２０１の内面２０１ａから第２の凹部２１２まで水平方向にチョーク路として形成されている。第２の凹部２１２は、貫通孔２０１の内面２０１ａから、使用する信号の波長の四分の一の長さだけ水平方向に離れた位置から、さらに水平方向に幅Ｂ２だけ広がる、中心導体１３０を取り囲むような円環形状に形成されている。図４の幅Ｂ１が波長の四分の一の長さである。図４では四分の一波長をλ／４と示した。
【００２３】
＊＊＊実施の形態１の効果＊＊＊
上記構成の同軸導波管変換器１０００では、チョーク構造２１０における第２の凹部２１２の底面２１２ｃ、内周面２１２ａ及び外周面２１２ｂが導波管２００の壁面であるため、第２の凹部２１２は接地短絡されている。したがって、第２の凹部２１２の深さＨ２及び幅Ｂ２を調整することで、貫通孔２０１の内面２０１ａから、使用する信号の波長の四分の一の長さ離れた第１の凹部２１１の端、すなわち、内周面２１２ａを仮想開放端にできる。
よって、外導体１９１と外導体２９１との間は仮想短絡面となり、外導体１９１と外導体２９１とは電気的に接続される。つまり、チョーク構造２１０によって、第１の同軸線路１９０と第２の同軸線路２９０との隙間からの高周波信号の漏洩が抑制できる。
【００２４】
比較例として示した図８の同軸導波管変換器は、筐体１００の底部と導波管２００の外壁部とによって、チョーク構造とが形成されている。図８の比較例に対して、実施の形態１の同軸導波管変換器１０００は、チョーク構造を構成する部材を少なくできる。つまり、図８の同軸導波管変換器では、筐体１００の底部１００ｂ及び導波管２００の外壁部２００ａの加工が必要であり、かつ、加工において底部１００ｂと外壁部２００ａとの形状を整合させる必要がある。これに対して同軸導波管変換器１０００では導波管２００の外壁部２００ａに加工をするだけでよい。よって、同軸導波管変換器１０００では、加工精度及び組立精度を緩和でき、低コストかつ製造期間を短縮できる効果がある。
また、同軸導波管変換器１０００では、チョーク構造２１０を底部１００ｂと接している外壁部２００ａに形成するので、筐体１００と外壁部２００ａとの部材間の隙間からの高周波信号の漏洩という恐れはない。仮に筐体１００と外壁部２００ａとの部材間に隙間が有る場合、この隙間はチョーク構造２１０に吸収されることになるので、部材間の隙間からの高周波信号の漏洩という恐れは解消する。
また、同軸導波管変換器１０００では、同様の伝搬モードを有する第１の同軸線路１９０と第２の同軸線路２９０との間にチョーク構造２１０を設けている。このため、モード変換による電磁界の乱れが小さくでき、異なる伝搬モードを有する線路間に設けたチョーク構造を適用する場合よりも、良好な伝送特性を得ることができる。
【００２５】
＜変形例１＞
図９は、同軸導波管変換器１０００の変形例１の同軸導波管変換器１００１を示す。図９を参照して同軸導波管変換器１００１を説明する。同軸導波管変換器１０００では、中心導体１３０の径が軸方向で一定になるよう構成された同軸導波管変換器とした。しかし、これに限るものではなく、同軸導波管変換器１００１のように、中心導体の径が軸方向で異なるよう構成された同軸導波管変換器としてもよい。図９の同軸導波管変換器１００１は、中心導体１３０の径が軸方向で異なる。それ以外は、図３の同軸導波管変換器１０００と同じ構成である。図９は図３と同じ断面である。図９の同軸導波管変換器１００１では、第１の同軸線路１９０と第２の同軸線路２９０とで中心導体１３０の径が異なっている。一方、第２の同軸線路２９０における中心導体１３０の径とプローブ２３０との径が等しい。中心導体１３０は、第１の同軸線路１９０から第２の同軸線路２９０の方向に太さが変化するので、第１の同軸線路１９０と第２の同軸線路２９０との間、あるいは。第２の同軸線路２９０と導波管２００との間のイピーダンスの整合を調整できる効果がある。
【００２６】
＜変形例２＞
図１０及び図１１は、同軸導波管変換器１０００の変形例２の同軸導波管変換器１００２を説明する図である。図１０及び図１１を参照して同軸導波管変換器１０００２を説明する。同軸導波管変換器１０００では、チョーク構造２１０における第１の凹部２１１の幅Ｂ１及び第２の凹部２１２の幅Ｂ２が、中心導体１３０の周方向１３１（図６）によらず一様な環状構造である。しかし、これに限るものではなく、チョーク構造２１０における第１の凹部２１１の幅Ｂ１及び第２の凹部２１２の幅Ｂ２が、中心導体１３０の周方向１３１、つまり、水平方向によって異なる環状構造でもよい。第１の凹部２１１及び第２の凹部２１２は、いずれも、円環形状の空間であるが、幅Ｂ１及び幅Ｂ２とは、円環形状の断面における幅である。
【００２７】
図１０は図３におけるＡ−Ａ断面図である。図１０は、チョーク構造２１０における第１の凹部２１１の幅Ｂ１と第２の凹部２１２の幅Ｂ２とが、中心導体１３０の周方向１３１で異なる環状構造となるチョーク構造２１０を示している。図１０では、ハッチングの歯車形状が第１の凹部２１１に相当する。歯車形状の領域が図４において高さＨ１である。歯車の外側のハッチングのない領域が第２の凹部２１２を示している。この領域が図４において高さＨ２である。四分の一波長の長さとしては、図４で左に示す幅の狭い方の幅Ｂ１を四分の一波長の長さとしても良いし、図４で右に示す幅の大きい方の幅Ｂ１を四分の一波長の長さとしてもよい。つまり、歯車形状の厚み変化として現れる幅Ｂ１の変化は、後述のように周波数帯域との関係で決定してもよい。
【００２８】
図１１は図３におけるＡ−Ａ断面図である。図１１は、チョーク構造２１０における第２の凹部２１２の幅Ｂ２のみが中心導体１３０の周方向１３１によって異なる環状構造を示している。図１１では、ハッチングのない歯車の形状が第２の凹部２１２を示しており、歯車の内側のリング状のハッチングのある領域が第１の凹部２１１に相当する。変形例２では、図１０及び図１１に示すように、内周面２１２ａと外周面２１２ｂとの少なくともいずれかは、第１の凹部２１１の外周２１１ａに沿って、つまり周方向１３１に沿って凹凸に変化する。第１の凹部２１１の幅Ｂ１と第２の凹部２１２の幅Ｂ２とを変化させ、または、第２の凹部２１２の幅Ｂ２を変化させる場合は、中心導体１３０の周方向１３１よってチョーク構造２１０の電気長を変えることができる。
このため、広帯域なチョーク構造を実現することができる。
【００２９】
＜変形例３＞
図１２及び図１３は、同軸導波管変換器１０００の変形例３の同軸導波管変換器１００３を説明する図である。図１２及び図１３を参照して、同軸導波管変換器１００３を説明する。同軸導波管変換器１０００では、チョーク構造２１０における第２の凹部２１２の深さＨ２は、中心導体１３０の周方向１３１で一定である。しかし、これに限るものではなく、同軸導波管変換器１００３のように、チョーク構造２１０における第２の凹部２１２の深さＨ２は中心導体１３０の周方向１３１で異なる構成でもよい。
【００３０】
図１２及び図１３は、チョーク構造２１０における第２の凹部２１２の深さＨ２が中心導体１３０の周方向１３１によって異なる構成を示している。図１２は、図３におけるＡ−Ａ断面図である。図１３は、図３におけるＢ−Ｂ断面図である。図１２及び図１３からわかるように、第２の凹部２１２の底面２１２ｃ（図４）は中心導体１３０の周方向１３１に、凹凸形状となっている。つまり、第２の凹部２１２は、第１の凹部２１１の外周２１１ａに沿って、深さＨ２が変化する。
【００３１】
図１２及び図１３のように、第２の凹部２１２の底面２１２ｃの深さＨ２を中心導体１３０の周方向１３１で変化させることで中心導体１３０の周方向１３１でチョーク構造２１０の電気長を変えることができるため、広帯域なチョーク構造を実現することができる。
【００３２】
＜変形例４＞
図１４及び図１５は、同軸導波管変換器１０００の変形例４の同軸導波管変換器１００４を説明する図である。図１４及び図１５を参照して、同軸導波管変換器１００４を説明する。同軸導波管変換器１０００では、筐体１００は導波管２００の外壁部２００ａと直接対向して外壁部２００ａに配置されている。しかし、同軸導波管変換器１００４のように、筐体１００の底部１００ｂと導波管２００の外壁部２００ａとの間に導体膜３００を配置してもよい。
【００３３】
図１４は、同軸導波管変換器１００４が導体膜３００を備える構成を示す。導体膜３００は、底部１００ｂと外壁部２００ａとの間に配置されると共に底部１００ｂと外壁部２００ａとの間に配置された状態で、貫通孔２０１を露出させている。図１４は図３に対応するが、同軸導波管変換器１０００が導体膜３００を備える点のみが図３と異なる。図１４では、筐体１００と導波管２００との間に、チョーク構造２１０を除く領域のうち中心導体１３０から離れた領域に導体膜３００が配置され、導体膜３００は第１の凹部２１１と第２の凹部２１２とを露出させている。図１４の導体膜３００は底部１００ｂと同程度の大きさであり、外周面２１２ｂの直径と同程度の直径の孔３０１があいている。
【００３４】
図１５では、導体膜３００が、筐体１００と導波管２００の間に、外導体２９１に沿って導体膜３００が配置されている。図１５では、導体膜３００は貫通孔２０１を覆うことなく、貫通孔２０１を露出させている。図１５の導体膜３００は底部１００ｂと同程度の大きさであり、貫通孔２０１の直径と同程度の直径の孔３０１があいている。
【００３５】
図１４または図１５のように同軸導波管変換器１００４が導体膜３００を有する場合は、筐体１００の底部１００ｂと導波管２００の外壁部２００ａとの間に生じた撓みまたは凹凸に起因する隙間を狭くできる。よって、チョーク構造の有効性を高める効果がある。
なお、図１５では第１の凹部２１１に導体膜を配置することで、第１の凹部２１１のチョーク経路を狭くできる。よって、同軸線路から筐体１００側と導波管２００側との隙間(チョーク構造２１０)への電力の漏れを、図１４に比べ抑えることができる。
【００３６】
変形例１から変形例４を含む実施の形態１に示す同軸導波管変換器１０００，１００１，１００２，１００３，１００４は、多くの分野で使用されている同軸導波管変換器に適用可能である。
【００３７】
以上、実施の形態１について説明したが、実施の形態１のうち、１つを部分的に実施しても構わない。実施の形態１のうち、２つ以上を部分的に組み合わせて実施しても構わない。なお、本発明は、実施の形態１に限定されるものではなく、必要に応じて種々の変更が可能である。
【符号の説明】
【００３８】
１００  筐体、１００ａ  上面部、１００ｂ  底部、１００ｃ  側面部、１０１  貫通孔、１０２  内面、１１０  誘電体基板、１１０ａ  配置面、１１０ｂ  裏面、１２０  信号端子、１３０  中心導体、１３１  周方向、１４０  誘電性支持体、１５０  基板導体、１９０  第１の同軸線路、１９１  外導体、２００  導波管、２００ａ  外壁部、２００ｂ  底部、２００ｃ  側面部、２０１  貫通孔、２０１ａ  内面、２０１ｂ  外周、２３０  プローブ、２１０  チョーク構造、２１１  第１の凹部、２１１ａ  外周、２１２  第２の凹部、２１２ａ  内周面、２１２ｂ  外周面、２１２ｃ  底面、２９０  第２の同軸線路、２９１  外導体、３００  導体膜、１０００，１００１，１００２，１００３，１００４  同軸導波管変換器。
【図１】
2020036175.tif 000003
【図２】
2020036175.tif 000004
【図３】
2020036175.tif 000005
【図４】
2020036175.tif 000006
【図５】
2020036175.tif 000007
【図６】
2020036175.tif 000008
【図７】
2020036175.tif 000009
【図８】
2020036175.tif 000010
【図９】
2020036175.tif 000011
【図１０】
2020036175.tif 000012
【図１１】
2020036175.tif 000013
【図１２】
2020036175.tif 000014
【図１３】
2020036175.tif 000015
【図１４】
2020036175.tif 000016
【図１５】
2020036175.tif 000017